(57)【要約】それぞれ通信端末器（２，２’，２”）と接続されており、電子メモリユニット（１１）を有し、かつ特にチップカードとして形成されている、携帯可能なリソースモジュール（１，１’）のリソースを管理する方法とシステムが提案される。モジュール識別を有する第１のリソース管理指示が、リソース管理センター（４）へ伝達される。リソース管理センター（４）から、第２のリソース管理指示が通信ネットワーク（３）を介して、モジュール識別により定められたリソースモジュール（１）へ伝達される。所定のリソースモジュール（１）内で、受信した第２のリソース管理指示に応じてリソース制御機構（１１１）によってリソースが準備又は解放される。リソース管理確認が、所定のリソースモジュール（１）から通信ネットワーク（３）を介してリソース管理センター（４）へ伝達されて、リソース管理センター（４）に、準備又は解放されたリソースに関する情報がモジュール識別に対応づけて記憶される。
2005529511.tif 000002
【特許請求の範囲】
【請求項１】
それぞれ通信端末器(2)と接続されており、かつ特にチップカードとして形成されている、携帯可能なリソースモジュール(1)のリソースを管理する方法であって、その場合にリソースが電子的なメモリユニット(11)を有しており、その場合に方法は：
−モジュール識別を有する第１のリソース管理指示を、リソース管理センター(4)へ伝達し、
−第２のリソース管理指示をリソース管理センター(4)から通信ネットワーク(3)を介して、モジュール識別によって定められるリソースモジュール(1)へ伝達し、
−受信した第２のリソース管理指示に従って所定のリソースモジュール(1)内でリソース制御機構(111)によってリソースを準備又は解放し、
−所定のリソースモジュール(1)から通信ネットワーク(3)を介してリソース管理センター(4)へリソース管理確認を伝達し、かつ
−リソース管理センター(4)内で準備又は解放されたリソースに関する情報を記憶し、その場合に情報がモジュール識別に対応づけて記憶される、
携帯可能なリソースモジュールのリソースを管理する方法。
【請求項２】
通信端末器(2)のユーザからモジュール識別とアプリケーション要請がアプリケーション管理ユニット(5)へ伝達され、
受信したアプリケーション要請に基づいて第１のリソース管理指示がアプリケーション管理ユニット(5)によってリソース管理センター(4)へ伝達され、その場合に第１のリソース管理指示がリソースユーザ識別を有しており、かつ
リソースユーザ識別がリソース管理センター(4)内にモジュール識別に対応づけて記憶されることを特徴とする請求項１記載の方法。
【請求項３】
リソース管理センター(4)からリソース準備確認がアプリケーション管理ユニット(5)へ伝達され、
アプリケーション管理ユニット(5)からアプリケーションインストール要請が通信ネットワーク(3)を介して所定のリソースモジュール(1)へ伝達され、
所定のリソースモジュール(1)内でリソース制御機構(111)によってアプリケーションインストール要請に応じて、準備されたリソースを使用してアプリケーションがインストールされ、かつ
アプリケーション管理ユニット(5)内に、インストールされたアプリケーションに関する情報が記憶され、その場合に情報はモジュール識別に対応づけて記憶されることを特徴とする請求項２記載の方法。
【請求項４】
リソース管理センター(4)内でアプリケーションインストール要請が第２のリソース管理指示へ組み込まれ、
所定のリソースモジュール(1)内のリソース制御機構(111)によって、アプリケーションインストール要請に従ってアプリケーションがインストールされ、かつ
リソース管理センター(4)内に、インストールされたアプリケーションに関する情報が記憶され、その場合に情報がモジュール識別に対応づけて記憶されることを特徴とする請求項１又は２のいずれか１項に記載の方法。
【請求項５】
通信端末器(2)の通信アドレスが、モジュール識別とこのモジュール識別に対応づけられた通信アドレスが記憶されているデータメモリ(32)に基づいて定められることを特徴とする請求項１から４のいずれか１項に記載の方法。
【請求項６】
更にリソースモジュール(1)のソフトウェアリソース(113)が管理される
ことを特徴とする請求項１から５のいずれか１項に記載の方法。
【請求項７】
多数の携帯可能なリソースモジュール(1, 1')を有するシステムであって、前記リソースモジュールはそれぞれ通信端末器(2, 2', 2")と接続され、
前記リソースモジュールはそれぞれ、該当するリソースモジュール(1, 1')内でリソースを準備及び解放するためのリソース制御機構(111)を有しており、その場合にリソースは電子的なメモリユニット(11)を有しており、かつ
前記リソースモジュールが、特にチップカードとして形成されている、
前記システムにおいて、
システムは、リソース管理センター(4)へ伝達された、モジュール識別を含む第１のリソース管理指示を受け取るための受信モジュール(43)を備えた、リソース管理センター(4)を有しており、
リソース管理センター(4)は、第２のリソース管理指示をリソース管理センター(4)と接続された通信ネットワーク(3)を介して、モジュール識別によって定められたリソースモジュール(1)へ伝達するための管理指示モジュール(44)を有しており、
リソースモジュール(1)はそれぞれ、リソース制御機構(111)によって受信した第２のリソース管理指示に従って準備又は解放された、リソースに関するリソース管理確認を、通信ネットワーク(3)を介してリソース管理センター(4)へ伝達するための確認モジュール(112)を有しており、
リソース管理センター(4)は、準備又は解放されたモジュールに関する情報を記憶するための管理モジュール(45)とデータメモリ(41)を有しており、その場合に情報がモジュール識別に対応づけて記憶される、
ことを特徴とするシステム。
【請求項８】
システムは、通信端末器(2)のユーザからモジュール識別とアプリケーション要請を受け取り、受け取ったアプリケーション要請に基づいて第１のリソース管理指示をリソース管理センター(4)へ伝達するための、アプリケーション管理ユニット(5)を有しており、その場合に第１のリソース管理指示がリソースユーザ識別を有しており、かつ
管理モジュール(45)は、データメモリ(41)内にリソースユーザ識別をモジュール識別に対応づけて記憶するための手段を有していることを特徴とする請求項７記載のシステム。
【請求項９】
リソース管理センター(4)は、リソース準備確認をアプリケーション管理ユニット(5)へ伝達するための確認モジュール(46)を有しており、
アプリケーション管理ユニット(5)は、アプリケーションインストール要請を通信ネットワーク(3)を介して所定のリソースモジュール(1)へ伝達するためのアプリケーション指示モジュール(54)を有しており、
リソース制御機構(111)は、アプリケーション要請に応じて、かつ準備されたリソースを使用して、該当するリソースモジュール(1)内にアプリケーションをインストールするための手段を有しており、かつ
アプリケーション管理ユニット(5)は、インストールされたアプリケーションに関する情報を記憶するためのアプリケーション管理モジュール(55)を有しており、その場合に情報がモジュール識別に対応づけて記憶されることを特徴とする請求項８記載のシステム。
【請求項１０】
管理指示モジュール(44)が、アプリケーションインストール要請を第２のリソース管理指示内へ組み込むための手段を有しており、
リソース制御機構(111)は、アプリケーションインストール要請に応じて該当するリソースモジュール(1)内にアプリケーションをインストールするための手段を有しており、かつ
管理モジュール(45)が、インストールされたアプリケーションに関する情報を記憶するための手段を有しており、その場合に情報がデータメモリ(41)内でモジュール識別に対応づけて記憶されることを特徴とする請求項７又は８のいずれか１項に記載のシステム。
【請求項１１】
システムが、通信端末器(2)の通信アドレスを定めるためにアドレスマッピングユニット(31)とデータメモリ(32)を有しており、前記データメモリ(32)内にモジュール識別とこのモジュール識別に対応づけられた通信アドレスが記憶されることを特徴とする請求項７から１０のいずれか１項に記載のシステム。
【請求項１２】
リソース制御機構(111)によって準備されて解放されるリソースが、更にソフトウェアリソース(113)を有していることを特徴とする請求項７から１１のいずれか１項に記載のシステム。
【請求項１３】
携帯可能なリソースモジュール(1, 1')のリソースを管理するリソース管理センター(4)であって、前記リソースモジュールはそれぞれ通信端末器(2, 2', 2")と接続され、前記リソースモジュールはそれぞれ該当するリソースモジュール(1)内のリソースを準備して解放するためのリソース制御機構(111)を有しており、その場合にリソースは電子的なメモリユニット(11)を有しており、かつ前記リソースモジュールが特にチップカードとして形成されている、前記リソース管理センター(4)において、
リソース管理センター(4)は、リソース管理センター(4)へ伝達された、モジュール識別を有する第１のリソース管理指示を受け取るための受信モジュール(43)を有しており、
リソース管理センター(4)は、第２のリソース管理指示を、リソース管理センター(4)と接続可能な通信ネットワーク(3)を介してモジュール識別によって定められたリソースモジュール(1)へ伝達するための管理指示モジュール(44)を有しており、
リソース管理センター(4)は、受信した第２のリソース管理指示に応じてリソース制御機構(111)によって準備又は解放されたリソースに関して所定のリソースモジュール(1)から通信ネットワーク(3)を介してリソース管理確認を受け取るための手段を有しており、かつ
リソース管理センター(4)は、準備又は解放されたリソースに関する情報を記憶するための管理モジュール(45)とデータメモリ(41)を有しており、その場合に情報がモジュール識別に対応づけて記憶されることを特徴とするリソース管理センター。
【請求項１４】
管理指示モジュール(44)が、アプリケーションインストール要請を第２のリソース管理指示に組み込むための手段を有しており、かつ
管理モジュール(45)は、アプリケーション要請に応じて所定のリソースモジュール(1)内にインストールされたアプリケーションに関する情報を記憶するための手段を有しており、その場合に情報がデータメモリ(41)内でモジュール識別に対応づけて記憶されることを特徴とする請求項１３記載のリソース管理センター(4)。
【請求項１５】
リソース管理センター(4)は、受信モジュール(43)によって受け取った第１のリソース管理指示を与えたアプリケーション管理ユニット(5)へ、リソース準備確認を伝達するための確認モジュール(46)を有しており、
管理モジュール(45)は、第１のリソース管理指示に含まれるリソースユーザ識別を記憶するための手段を有しており、その場合にリソースユーザ識別がデータメモリ(41)内でモジュール識別に対応づけて記憶されることを特徴とする請求項１３記載のリソース管理センター(4)。
【発明の詳細な説明】
【技術分野】
【０００１】
本発明は、携帯可能なリソースモジュールのリソースを管理するシステム、方法及び管理センターに関する。本発明は、特に携帯可能な多数のリソースモジュールのリソースを管理するシステム、方法及び管理センターに関するものであり、リソースモジュールはそれぞれ通信端末器と接続されており、リソースモジュールはそれぞれ該当するリソースモジュール内でリソースを準備して解放するためのリソース制御機構を有し、その場合にリソースは電子的なメモリユニットを有しており、かつリソースモジュールは特にチップカードとして形成されている。
【背景技術】
【０００２】
電子的なデータ及びプログラムメモリと１つ又は複数のプロセッサとを有する、携帯可能なリソースモジュールは、知られており、従来のように、ホスト装置と取外し可能に接続するためのインターフェイスを有している。この取外し可能な接続を介して、携帯可能なリソースモジュールとホスト装置は一時的な対話と協同のために互いに接続することができる。ホスト装置は、例えば、携帯可能なリソースモジュール内のデータメモリにアクセスし、或いは携帯可能なリソースモジュールのプロセッサ上で実施されるソフトウェアアプリケーションと協同することができる。既知の携帯可能なリソースモジュールは、典型的には、いわゆるチップカードの形式で形成されているが、他のように、例えばいわゆる電子トークンとして形成することもできる。最も知られているチップカードに属するのは、識別及び認証モジュールとして携帯電話と取外し可能に接続できる、ＳＩＭカード（Subscriber Identity Module）及び、銀行自動機又はいわゆるＡＴＭ（Automatic Teller Machine）と取外し可能に接続できる、銀行自動機カードである。電子コンポーネントの小型化が進むにつれて、携帯可能なリソースモジュールのメモリ容量とプロセッサ能力がますます増大されるので、リソースモジュールを単に専用の利用のためだけでなく、複数の利用のために使用することが現実的になった。特に通信端末器、ネットワーク化されたホスト装置及び適切な書込み装置と組み合わせて、更に権限を有するグループにとっては、付加的なソフトウェアアプリケーションを携帯可能なリソースモジュールへ動的に伝送し、そこに記憶させて、ローカルなプロセッサ上で実施することが可能になった。しかしそれによって安全問題が多く生じるようになった。というのは、付加的にロードされたソフトウェアアプリケーションが不当な方法で携帯可能なリソースモジュール内の他のソフトウェアアプリケーションのデータにアクセスすることができる可能性があるからである。
【０００３】
欧州特許出願第908855号においては、複数のソフトウェアアプリケーションを有するチップカードのためのリソース制御機構が記載され、チップカード内にソフトウェアアプリケーションのためのリソースが準備され、かつソフトウェアアプリケーションがチップカード内の他のソフトウェアアプリケーションのデータに不当にアクセスすることが阻止される。チップカードがホスト装置と接続された場合には、欧州特許出願第908855号に基づくリソース制御機構は、ホスト装置にからソフトウェアアプリケーションを実施するための要請を受け入れること、チップカードに記憶されているメモリ領域テーブルを用いてリソースとしての該当するソフトウェアアプリケーションの記憶と実施（データ記憶を含む）のためのメモリ領域を準備すること、及び該当するソフトウェアアプリケーションがそのために準備されたリソース内で実施されるのをコントロールすることを可能にする。欧州特許出願第908855号に基づくリソース制御機構は、勿論、冗長な、即ち既に設けられているソフトウェアアプリケーションがチップカード内にロードされること、或いはチップカード上にそのためのリソースが提供されない場合に、付加的なソフトウェアアプリケーションのための不必要なロードの試みが行われることを、阻止することはできない。これは特にソフトウェアアプリケーションを通信ネットワークを介して多数のリソースモジュールへロードしようとする場合に、欠点となる。というのは、その場合には不必要にネットワークとメモリの容量が浪費されるからである。
【発明の開示】
【発明が解決しようとする課題】
【０００４】
本発明の課題は、従来技術の欠点を持たず、かつ特に多数の携帯可能なリソースモジュールのリソースの管理を可能にする、携帯可能なリソースモジュールのリソースを管理する新しいシステム、方法及び管理センターを提案することである。
【課題を解決するための手段】
【０００５】
本発明によれば、この目的は特に独立請求項の要素によって達成される。他の好ましい実施形態が、更に従属請求項と明細書から明らかにされる。
【０００６】
特にチップカードとして形成されている、携帯可能なリソースモジュールは、それぞれ通信端末器と接続されており、かつそれぞれ該当するリソースモジュール内のリソースを準備して解放するリソース制御機構を有しており、その場合にリソースは電子的なメモリユニットを有している。
【０００７】
上述した目的は、本発明によれば、特にモジュール識別を有する第１のリソース管理指示、即ちハードウェアリソース、例えばメモリスペース又はソフトウェアリソース、例えばソフトウェアアプリケーションを準備又は解放するための第１の要請が、リソース管理センターへ伝達され、第２のリソース管理指示がリソース管理センターから通信ネットワークを介して、モジュール識別によって定められたリソースモジュールへ伝達され、所定のリソースモジュール内でリソース制御機構によってリソースが準備又は解放され、リソース管理確認が所定のリソースモジュールから通信ネットワークを介してリソース管理センターへ伝達され、かつ準備又は解放されたリソースに関する情報がリソース管理センター内でモジュール識別に対応づけて記憶されることによって、達成される。携帯可能なリソースモジュールのリソースを準備又は解放するための要請をリソース管理センターを介して案内し、かつそこに該当するリソースモジュールについて準備又は解放されたリソースに関する情報を記憶する利点は、加入しているすべてのリソースモジュールのリソース又はこれらのリソースの少なくとも定められた部分を中央に集中させて管理することができることにある。即ち、リソース管理センター内で、所定のリソースモジュールのどのメモリ領域が既に準備されている、即ち占有又は予約されているか、或いは空いているか、そしてどのソフトウェアアプリケーションが準備され、即ちロードされているかを、把握しておくことができる。それによって携帯可能なリソースモジュール内のソフトウェアアプリケーションの中央集権的な分配と更新が可能であって、既に存在しているアプリケーションが新たにロードされることはなく、かつそのために必要なメモリスペースが空いていない場合に、不必要なロードの試みを通信ネットワークを介して行う必要がない。リソースモジュールのリソースの中央集権的な管理は、更に第３のグループにより利用するためのリソースをこの第３のグループのために準備することを可能にする。例えば、リソースモジュール内に、興味ある第３のグループのソフトウェアアプリケーションのために定められたメモリ領域を予約することができる。
【０００８】
異なった形態においては、通信端末器のユーザからモジュール識別とアプリケーション要請がアプリケーション管理ユニットへ伝達され、受信したアプリケーション要請に基づいて第１のリソース管理指示がアプリケーション管理ユニットによってリソース管理センターへ伝達され、その場合に第１のリソース管理指示はリソースユーザ識別を有しており、かつリソースユーザ識別がリソース管理センター内でモジュール識別に対応づけて記憶される。アプリケーション要請とモジュール識別をアプリケーション管理ユニットを介してリソース管理センターへ案内することの利点は、ユーザが、それぞれアプリケーション管理ユニットを販売する複数の独立した提供者から種々のソフトウェアアプリケーションを要請することができることにあり、その場合にこれら提供者は、彼らがリソースユーザとして登録されている、共通のリソース管理センターの中央集権化されたサービスを請求することができる。
【０００９】
異なった形態においては、リソース管理センターからリソース準備確認がアプリケーション管理ユニットへ伝達され、アプリケーション管理ユニットからはアプリケーションインストール要請が通信ネットワークを介して所定のリソースモジュールへ伝達され、所定のリソースモジュール内のリソース制御機構によって、アプリケーション要請に応じて準備されたリソースを使用してアプリケーションがインストールされ、アプリケーション管理ユニット内に、インストールされたアプリケーションに関する情報が記憶され、その場合に情報はモジュール識別に対応づけて記憶される。この異なった形態の利点は、アプリケーション管理ユニットの販売者、典型的にはソフトウェアアプリケーションの提供者は、彼が提供したソフトウェアアプリケーションとこのソフトウェアアプリケーションのインストールに関する完全なコントロールを有しており、それにもかかわらず、リソース管理センターの中央集権化されたサービスを請求することができることにある。
【００１０】
異なった形態においては、リソース管理センター内でアプリケーションインストール要請が第２のリソース管理指示に組み込まれ、所定のリソースモジュール内のリソース制御機構によって、アプリケーションインストール要請に応じてアプリケーションがインストールされ、かつリソース管理センター内に、インストールされたアプリケーションに関する情報が記憶され、その場合に情報はモジュール識別に対応づけて記憶される。この異なった形態の利点は、アプリケーション管理ユニットの形成が容易になることにある。というのは、要請されたソフトウェアアプリケーションのリソースモジュールへの引渡しも、リソース管理センターによって引き受けられるからである。
【００１１】
異なった形態においては、通信端末器の通信アドレスは、データメモリに基づいて定められ、そのデータメモリ内にはモジュール識別とこのモジュール識別に対応づけられた通信アドレスが記憶されている。モジュール識別を通信アドレス、例えばコールナンバーにマッピングすることの利点は、リソース管理センターとアプリケーション管理ユニットには単にリソースモジュールのモジュール識別のみを提供すればよく、現在リソースモジュールが接続されている通信端末器の実際の通信アドレスは、好ましくは通信ネットワーク内のアドレスマッピングユニット内で定めることができることにある。
【００１２】
以下、例を用いて本発明の実施形態を説明する。実施形態の例は、添付の図面によって説明される。
【発明を実施するための最良の形態】
【００１３】
図１、２及び３において、互いに相当する、等しい要素は同一の参照符号で示されている。図１において参照符号１と１’は、互いに相当する携帯可能なリソースモジュールに関するものであるが、その場合に参照符号１で示されるリソースモジュールのみが、詳細に示されている。リソースモジュール１は、データ及びソフトウェアプログラム１１１、１１２、１１３を記憶するための複数のメモリユニットを備えた電子メモリ１１及び電子メモリ１１と接続されている少なくとも１つのプロセッサ１２を有している。
【００１４】
図１において、参照符号３は、モバイル無線ネットワーク及び／又は固定ネットワークを有する通信ネットワークに関する。モバイル無線ネットワークは、例えばＧＳＭ（Grobal System for Mobile Communication）−又はＵＭＴＳ（Universal Mobile Telephone System）−ネットワーク、或いは他の、例えばサテライトベースのモバイル無線ネットワークである。固定ネットワークは、例えば公共の接続された電話ネットワーク又はＩＳＤＮネットワーク（Integrated Service Digital Network）である。
【００１５】
図１において、参照符号２、２’、２”は通信ネットワーク３と接続可能な種々の通信端末器を示しており、その通信端末器にリソースモジュール１、１’が取外し可能に接続されている。通信端末器２は、モバイル無線電話である。通信端末器２’は、モバイル電話ネットワークを介して通信するための通信モジュールを備えたラップトップコンピュータ又はＰＤＡコンピュータ（Personal Digital Assistant）である。通信端末器２”、例えばＰＣ（Personal Computer）は、固定ネットワークを介して通信するための通信モジュールを有している。
【００１６】
リソースモジュール１は、リソースモジュール１のリソースを準備して解放するためのリソース制御機構１１１を有している。リソース制御機構１１１は、好ましくはプログラミングされたソフトウェアモジュールとして形成されており、そのリソース制御機構が接続されている通信端末器２を介してリソース管理指示を受け取る。リソース管理指示は、メモリスペースを準備し、メモリスペースを解放し、アプリケーションをインストールし、或いはアプリケーションを除去するような、ハードウェアとソフトウェアリソースを準備して解放するための指示を有している。リソース制御機構１１１は、特にリソース管理指示によって受信されたアプリケーションインストール要請に従ってリソースモジュール１内にアプリケーションをインストールするためのプログラミングされたソフトウェア機能も有している。リソース制御機構１１１は、メモリ領域テーブルを有しており、その中には電子メモリ１１の準備されたメモリ領域が予約され、或いはインストールされたソフトウェアアプリケーションに対応づけられている。リソース制御機構１１１は、ソフトウェアアプリケーションが他のソフトウェアアプリケーションのデータに不当にアクセスすることを阻止する。
【００１７】
リソースモジュール１は、受信したリソース管理指示に従ってリソース制御機構１１１によって準備或いは解放されたリソースに関するリソース管理確認を通信ネットワーク３を介して、リソース管理指示がそこから受信された、ユニットへ伝達するための確認モジュール１１２を有している。確認モジュール１１２は、好ましくはプログラミングされたソフトウェアモジュールとして形成されており、接続されている通信端末器２の通信機能を用いて通信ネットワーク３を介してデータ通信を実施する。
【００１８】
リソースモジュール１は、更にソフトウェアリソース１１３（アプリケーション）を有しており、それはリソースモジュール１を形成する際に既に記憶されており、或いは後の時点でリソースモジュール１の電子メモリ１１内に記憶される。
【００１９】
図１において、参照符号４はリソース管理センターに関するものであって、そのリソース管理センターは通信ネットワーク３と接続された１つ又は複数のコンピュータを有している。通信ネットワーク３と、かつ通信ネットワークを介して、接続しかつデータ交換を行うために、リソース管理センター４は、そのために必要なハードウェア及びソフトウェアコンポーネントを備えた通信モジュール４２を有している。
【００２０】
リソース管理センター４は、リソース管理指示を受け取るための受信モジュール４３を有している。リソース管理指示は、該当するリソース管理指示が関する、所定の、或いは１群のリソースモジュール１、１’を定める識別及び、準備又は解放すべきリソースに関するデータ、例えばメモリ領域、アプリケーション識別及び／又はソフトウェアアプリケーションを有している。それぞれ異なった形態に応じて、リソース管理指示はユーザから、或いはアプリケーション管理ユニット５から通信ネットワーク３を介して受け取ることができる。図に破線で示唆されているように、リソース管理センター４とアプリケーション管理ユニット５の間に、直接的な接続を設けることもできる（リソース管理センター４とアプリケーション管理ユニット５は、例えば共通のコンピュータ上に形成することができる）。受信モジュール４３は、好ましくはプログラミングされたソフトウェアモジュールとして形成されている。
【００２１】
リソース管理センター４は、リソース管理指示を通信ネットワーク３を介して所定の１つ又は複数のグループのリソースモジュール１、１’へ伝達するための管理指示モジュール４４を有している。リソース管理指示は、受信モジュール４３内で受け取ったリソース管理指示に基づいて管理指示モジュール４４によって作成されて、モジュール識別によって定められた１つ又は複数のリソースモジュール１、１’へ伝達される。作成されたリソース管理指示は、準備又は解放すべきリソースに関するデータ、例えばメモリ領域を有している。それぞれ異なった形態に応じて、管理指示モジュール４４はアプリケーションインストール要請を、アプリケーション識別及び／又はソフトウェアアプリケーションを有するリソース管理指示内へ組み込むこともできる。リソース管理指示が管理指示モジュール４４によってリソースモジュールへ伝達される前に、管理指示モジュール４４は後述するデータメモリ４１内で、該当するリソースモジュール１が十分に自由なリソースを有しているか、を調べる。管理指示モジュール４４は、好ましくはプログラミングされたソフトウェアモジュールとして形成されている。
【００２２】
リソース管理センター４は、更に管理モジュール４５と、準備又は解放されたリソースに関する情報を記憶するためのデータメモリ４１を有しており、その場合に情報はそれぞれ該当するリソースモジュール１のモジュール識別に対応づけて記憶される。例えば別の、或いは共通のコンピュータ上にデータバンクとして形成されている、データメモリ４１は、標準的にインストールされて設けられている、リソースモジュール１のソフトウェアとハードウェアリソースに関する、それぞれモジュール識別に対応づけられたデータ或いはモジュールプロフィールを用いてこのデータを導き出す、モジュールタイプを有している。ハードウェアリソースに関するデータは、メモリサイズ、設けられているインターフェイス及びプロセッサに関する情報を有している。ソフトウェアリソースに関するデータは、設けられている暗号キー、暗号関数及び他のソフトウェアプログラムに関する情報を有している。元のリソース管理指示がアプリケーション管理ユニット５から受信された場合には、データメモリ４１内の上述した情報に対応づけて、アプリケーション管理ユニット５を識別するリソースユーザ識別も記憶される。管理モジュール４５は、好ましくはプログラミングされたソフトウェアモジュールとして形成されている。
【００２３】
そして、リソース管理センター４は、リソース準備確認をアプリケーション管理ユニット５へ伝達するための確認モジュール４６も有しており、そのアプリケーション管理ユニットから場合によってはリソース管理指示も伝達されている。確認モジュール４６は、好ましくはプログラミングされたソフトウェアモジュールとして形成されている。
【００２４】
アプリケーション管理ユニット５は、通信ネットワーク３を介してデータ交換するための、必要なハードウェア及びソフトウェアコンポーネントを備えた通信モジュール５２を有している。通信端末器２の関心を有するユーザからのアプリケーション要請は、通信モジュール５２を介して受信されて、アプリケーション管理ユニット５内の然るべくプログラミングされたソフトウェア機能によって受け取られる。アプリケーション識別を有するアプリケーション要請の他に、ユーザからソフトウェアアプリケーションをインストールすべきリソースモジュール１のモジュール識別も受け取られる。
【００２５】
図１に概略的に示すように、ユーザからのアプリケーション要請を１つ又は複数のアプリケーション提供ユニット６を介してアプリケーション管理ユニット５へ伝達することもできる。アプリケーション提供ユニット６は、それぞれ少なくとも１つのコンピュータ、通信ネットワーク３を介してデータ交換するための必要なハードウェア及びソフトウェアコンポーネントを備えた通信モジュール６２、モジュール識別とこのモジュール識別に対応づけられたアプリケーション識別が記憶されているデータメモリ６１及びアプリケーション要請を受け取って、アプリケーション要請を権限を有するアプリケーション管理ユニット５へ供給し、かつ上記の情報をデータメモリ６１に記憶するためのソフトウェアモジュール６３を有している。アプリケーション管理ユニット５とアプリケーション提供ユニット６の階層的な組織が、これらのユニットの種々の販売者間でリソース責任とリソース分配をフレキシブルに分割することを可能にしている。アプリケーション管理ユニット５とアプリケーション提供ユニット６の間のデータ交換は、通信ネットワーク３を介して、或いは図１に破線で示唆するように、直接的な接続を介して行われる（アプリケーション管理ユニット５とアプリケーション提供ユニット６は、例えば共通のコンピュータ上に形成することができる）。
【００２６】
アプリケーション管理ユニット５は、受け取ったアプリケーション要請に基づいてリソース管理指示をリソース管理センター４へ伝達するために、プログラミングされたソフトウェア機能を有している。その場合に該当するモジュール識別と、アプリケーション管理ユニット５を定めるリソースユーザ識別は、リソース管理指示へ組み込まれる。アプリケーションインストール要請がリソース管理センター４によって通信ネットワーク３を介して該当するリソースモジュール１へ伝達される場合には、更にアプリケーション識別がリソース管理指示に組み込まれる。
【００２７】
アプリケーションインストール要請が直接アプリケーション管理ユニット５によって通信ネットワーク３を介して該当するリソースモジュール１へ伝達される場合には、アプリケーション管理ユニット５はそのためにアプリケーション指示モジュール５４と、インストールされたアプリケーションに関する情報を記憶するためのアプリケーション管理モジュール５５を有しており、その場合にこの情報は該当するリソースモジュール１のモジュール識別に対応づけて記憶される。
【００２８】
図１において、参照符号３１は、モジュール識別に基づいて通信端末器２に対応づけられた通信アドレスを定めるアドレスマッピングユニット、好ましくはプログラミングされたソフトウェア機能に関し、その通信端末器２にはモジュール識別によって定められたリソースモジュール１が接続されている。アドレスマッピングユニット３１は、アドレスレジスタへのアクセスを有しており、そのアドレスレジスタ内ではモジュール識別に通信アドレスが対応づけられている。アドレスレジスタは、例えばＨＬＲ（Home Location Register）であって、その中でいわゆるＩＭＳＩ（International Mobile Subscriber Identification）がいわゆるＭＳＩＳＤＮ（Mobile Subscriber ISDN）ナンバー、即ちコールナンバーに対応づけられている。ＩＭＳＩの他に、他のデータ素子、例えばカードナンバー又はチップナンバーも、モジュール識別として使用することができる。
【００２９】
当業者には、上述したソフトウェアモジュールが全部又は一部だけハードウェア的に形成することもできることが、わかる。
【００３０】
以下の部分において、図２を参照してリソース管理における処理シーケンスを、ソフトウェアアプリケーションが要請されて、リソース管理ユニット４によってリソースモジュール１へ引き渡される場合について説明する。
【００３１】
ステップＳ２０において、ユーザからその通信端末器２を用いて、或いはアプリケーション管理ユニット５から、リソース管理指示がリソース管理ユニット４へ伝達される。リソース管理指示は、ユーザから受信したアプリケーション要請（図示せず）に基づいてアプリケーション管理ユニット５から伝達される。リソース管理指示は、所望のソフトウェアアプリケーションのアプリケーション識別、ソフトウェアアプリケーションをロードすべきリソースモジュール１のモジュール識別及び場合によっては、アプリケーション管理ユニット５に対応づけられたリソースユーザ識別を有している。
【００３２】
ステップＳ２１において、受信されたリソース管理指示がリソース管理ユニット４内で処理される。受信されたモジュール識別及びアプリケーション識別に基づいて、データメモリ４１のコンサルテーションによって、所望のソフトウェアアプリケーションのリソース要求が定められ（例えばメモリ需要と使用されるソフトウェア機能）、リソースモジュール１内で提供可能なリソースと比較される。十分なリソースが提供できない場合には、否定的な知らせがアプリケーション管理ユニット５ないしは通信端末器２へ伝達される。その他においては、リソース管理指示が準備され、そのリソース管理指示には所望のソフトウェアアプリケーション（及び場合によっては付加的に必要とされるソフトウェアリソース）を有するアプリケーションインストール要請が組み込まれる。準備されるリソース管理指示内に、スタートアドレスとメモリサイズのようなインストール固有のデータを組み込むこともできる。更にアプリケーション識別、モジュール識別及び場合によってはリソースユーザ識別並びにインストール固有のデータが、データメモリ４１内に互いに対応づけて記憶される。
【００３３】
ステップＳ２２において、準備されたリソース管理指示がリソース管理センター４から通信ネットワーク３を介してリソースモジュール１へ伝達される。その場合にモジュール識別に対応づけられた通信アドレス、即ち通信端末器２のコールナンバーが、アドレスマッピングユニット３１によって定められる。
【００３４】
ステップＳ２３においては、リソース管理指示がリソースモジュール１内で通信端末器２を介して受け取られて、処理される。リソース制御機構１１１が、必要なメモリ需要を予約して、ソフトウェアアプリケーションをインストールする。インストール固有のデータが、リソース管理センター４によって既に準備されていない場合には、それがリソース制御機構１１１によって定められる。その後リソースモジュール１内でリソース管理確認が準備され、そのリソース管理確認は場合によってはインストール固有のデータを含んでいる。
【００３５】
ステップＳ２４において、リソース管理確認がリソースモジュール１から通信端末器２と通信ネットワーク３を介してリソース管理センター４へ伝達される。
【００３６】
ステップＳ２５においては、リソース管理センター４がデータメモリ４１内に、受信したリソース管理確認に基づいてリソースモジュール１についてソフトウェアアプリケーションがインストールされて、必要なリソースが占有されたことをマーキングする。
【００３７】
ステップＳ２６においては、リソース管理センター４が確認をアプリケーション管理ユニット５ないしは通信端末器２へ伝達する。
【００３８】
ステップＳ２０において、リソースモジュール１内のリソースの解放に関する、リソース管理指示がリソース管理センター４に伝達される場合には、ステップＳ２１においてそれに応じたリソース管理指示が準備され、そのリソース管理指示内へリソース解放要請が組み込まれ、かつステップＳ２２においてリソースモジュール１へ伝達される。ステップＳ２３において、リソース制御機構１１１が受信したリソース解放要請に応じてリソースを解放する。ステップＳ２５において、リソース管理センター４がデータメモリ４１内に、受信したリソース管理確認に基づいて該当するリソースがリソースモジュール１のために解放されたことをマーキングする。
【００３９】
以下の部分においては、図３を参照してリソース管理における処理シーケンスを、要請されたソフトウェアアプリケーションがアプリケーション管理ユニットによってリソースモジュールへ引き渡される場合について、説明する。
【００４０】
ステップＳ３０において、アプリケーション管理ユニット５からリソース管理指示がリソース管理センター４へ伝達される。リソース管理指示は、ユーザから受信したアプリケーション要請（図示せず）に基づいてアプリケーション管理ユニット５から伝達される。リソース管理指示は、所望のソフトウェアアプリケーションのために準備すべき、必要とされるリソース、例えば必要なメモリ需要、リソースを準備すべきリソースモジュール１のモジュール識別及びアプリケーション管理ユニット５に対応づけられたリソースユーザ識別に関するデータを有している。
【００４１】
ステップＳ３１において、リソース管理指示がリソース管理ユニット４内で処理される。受信したモジュール識別に基づいて、データメモリ４１内の準備すべきリソースに関するデータが、リソースモジュール１内で提供可能なリソースと比較される。十分なリソースが提供できない場合には、否定的な知らせがアプリケーション管理ユニット５に伝達される。その他の場合には、リソース管理指示が準備され、その中に準備すべきリソースに関するデータが組み込まれる。準備されるリソース管理指示内に、更にスタートアドレス又は定められたメモリ領域のような、リソース固有の他のデータを組み込むことができる。更にモジュール識別、リソースユーザ識別及び準備すべきリソースに関するデータが、データメモリ４１内に互いに対応づけて記憶される。
【００４２】
ステップＳ３２においては、準備されたリソース管理指示がリソース管理センター４から通信ネットワーク３を介してリソースモジュール１へ伝達される。その場合にモジュール識別に対応づけられた通信アドレス、即ち通信端末器２のコールナンバーが、アドレスマッピングユニット３１によって定められる。
【００４３】
ステップＳ３３において、リソース管理指示がリソースモジュール１内で通信端末器２を介して受け取られて、処理される。リソース制御機構１１１は、要請されたスペース、例えば要請されたメモリスペースを予約する。リソース固有のデータがリソース管理センター４によって既に与えられていない場合には、それはリソース制御機構１１１によって定められる。その後リソースモジュール１内でリソース管理確認が準備され、そのリソース管理確認は場合によってはリソース固有のデータとリソースリファレンスを含んでいる。
【００４４】
ステップＳ３４においては、リソース管理確認がリソースモジュール１から通信端末器２と通信ネットワーク３を介してリソース管理センター４へ伝達される。
【００４５】
ステップＳ３５において、リソース管理センター４がデータメモリ４１内に要請されたリソースを、受信したリソース管理確認に基づいてリソースモジュール１について予約されたものとしてマーキングし、受信したリソースリファレンスをそれに対応づける。
【００４６】
ステップＳ３６においては、リソース管理センター４がリソース準備確認をリソースリファレンスと共にアプリケーション管理ユニット５へ伝達する。
【００４７】
ステップＳ３７において、受信したリソース準備確認に基づいてアプリケーション管理ユニット５内で所望のソフトウェアアプリケーションと準備されたリソースのリソースリファレンスとを有するアプリケーションインストール要請が準備される。
【００４８】
ステップＳ３８において、準備されたアプリケーションインストール要請がアプリケーション管理ユニット５から通信ネットワーク３と通信端末器２を介してリソースモジュール１へ伝達される。その場合にモジュール識別に対応づけられた通信アドレス、即ち通信端末器２のコールナンバーが、アドレスマッピングユニット３１によって定められる。
【００４９】
ステップＳ３９においては、アプリケーションインストール要請がリソースモジュール１内で通信端末器２を介して受け取られて、処理される。リソース制御機構１１１は、リソースリファレンスによって定められた、予約されたリソースを使用してソフトウェアアプリケーションをインストールする。その後リソースモジュール１内で確認が準備される。
【００５０】
ステップＳ４０において、リソースモジュール１から確認が通信端末器２と通信ネットワーク３を介してアプリケーション管理ユニット５へ伝達される。
【００５１】
ステップＳ４１において、アプリケーション管理ユニット５は受信した確認に基づいて、インストールされたソフトウェアアプリケーションのアプリケーション識別をリソースモジュール１のリソース識別に対応づけてデータメモリ５１内に記憶させて、ソフトウェアアプリケーションをインストールしたものとしてマーキングする。
【００５２】
最後に確認しておくが、リソース管理センター４とリソースモジュール１の間、アプリケーション管理ユニット５とリソースモジュール１の間、リソース管理センター４とアプリケーション管理ユニット５の間及びアプリケーション管理ユニット５とアプリケーション提供ユニット６の間の指示及びデータの交換は、好ましくは暗号の安全機構を使用して行われる。特に識別と認証のために、ＰＫＩ（Public Key Infrastructure）のキーペアを使用したデジタルの証明書を使用することができる。
【産業上の利用可能性】
【００５３】
本発明は、通信端末器と接続されている多数のリソースモジュールのリソースの使用を中央に集中させて管理することを可能にしている。
【図面の簡単な説明】
【００５４】
【図１】図１は携帯可能なリソースモジュールのリソースを管理するシステムのブロック図を示しており、その中には、通信ネットワークを介してリソース管理センター及びアプリケーション管理ユニットと接続されている、リソースモジュールを備えた種々の通信端末器が示される。
【図２】図２はリソース管理における処理シーケンスを示すタイムチャートであって、その場合にアプリケーション管理ユニットないし通信端末器、リソース管理センター及びリソースモジュール間のデータ交換が、アプリケーション管理ユニットが要請されたソフトウェアアプリケーションの引渡しに関与していない場合について示される。
【図３】図３はリソース管理における処理シーケンスを示すタイムチャートであって、その場合にアプリケーション管理ユニット、リソース管理センター及びリソースモジュールの間のデータ交換が、アプリケーション管理ユニットが要請されたソフトウェアアプリケーションの引渡しの権限を有している場合について、示される。
【図１】
2005529511.tif 000003
【図２】
2005529511.tif 000004
【図３】
2005529511.tif 000005
【国際調査報告】
2005529511.tif 000006
2005529511.tif 000007
2005529511.tif 000008
2005529511.tif 000009
2005529511.tif 000010
2005529511.tif 000011